(57)【要約】【課題】画像形成装置に常備される部材を集積回路の抜き取りに兼用することにより、前記集積回路の抜き取りが必要となったときに速やかにその抜き取り作業の実施が可能となる技術を提供すること。【解決手段】固定具１００は、給紙カセット１３に収容されるシートを昇降可能に支持するリフト板１５と給紙カセット１３の底部３５とのそれぞれに形成された貫通孔２８Ａ、２８Ｂ、３３Ａ、３３Ｂに挿脱可能な一対のアーム部１０４Ａ，１０４Ｂと、アーム部１０４Ａ，１０４Ｂ各々の予め定められた位置から突出して設けられ、リフト板１５及び底部３５を挟持可能な挟持部を構成する突出部１０６Ａ、１０６Ｂ及び爪部１０５Ａ、１０５Ｂと、アーム部１０４Ａ，１０４Ｂ各々の先端から内側に突出して設けられ、集積回路Ｃ１とＩＣソケットＳＫ１との間に挿入可能な爪部１０５Ａ、１０５Ｂとを有する。【選択図】図８
2017181778.tif 000002
【特許請求の範囲】
【請求項１】
画像形成装置の給紙カセットに収容されるシートを昇降可能に支持するシート支持板と前記給紙カセットの底部とのそれぞれに形成された貫通孔に挿脱可能な一対のアーム部と、
前記アーム部各々の予め定められた位置から突出して設けられ、前記シート支持板及び前記底部を挟持可能な挟持部と、
前記アーム部各々の先端から内側に突出して設けられ、前記画像形成装置に搭載される集積回路と前記集積回路が着脱可能な被装着部との間に挿入可能な爪部と、
を有する固定具。
【請求項２】
前記一対のアーム部が、前記貫通孔に挿入可能な状態から前記一対のアーム部が近接する方向に復帰する弾性を有する弾性部を介して連結されており、
前記挟持部が、前記アーム部各々の内側に突出して設けられている請求項１に記載の固定具。
【請求項３】
前記貫通孔は、前記シート支持板と前記給紙カセットの底部とに２つずつ設けられており、
前記アーム部各々は、前記シート支持板の前記貫通孔と前記底部の前記貫通孔とに貫通する請求項２に記載の固定具。
【請求項４】
前記一対のアーム部が、前記貫通孔に挿入可能な状態から前記一対のアーム部が離間する方向に復帰する弾性を有する弾性部を介して連結されており、
前記挟持部が、前記アーム部各々の外側に突出して設けられている請求項１に記載の固定具。
【請求項５】
前記給紙カセットと前記給紙カセットから供給されるシートに画像を形成する画像形成部と前記集積回路とを備える画像形成装置であって、
前記給紙カセットが、請求項１〜４の何れかに記載の固定具と、前記固定具が収容可能な収容部とを備える画像形成装置。
【発明の詳細な説明】
【技術分野】
【０００１】
本発明は、画像形成装置の給紙カセットに収容されるシートを昇降可能に支持するシート支持板を前記底部に固定するための固定具、及び前記固定具を備える画像形成装置に関する。
【背景技術】
【０００２】
複写機或いは複合機等の画像形成装置には、給紙カセットに収容されるシートを昇降可能に支持するシート支持板を前記底部に固定するための固定具が備えられる。この種の固定具は、シート支持板を固定する必要がなくなると使用用途がなくなるため不要になる。
【０００３】
一方、複合機などの画像形成装置又は画像読取装置には、画像形成部又は画像読取部を制御する集積回路（Ｉｎｔｅｇｒａｔｅｄ  Ｃｉｒｃｕｉｔ；ＩＣ）が備えられる。このような集積回路は、画像形成装置等の制御基板に設けられるＩＣソケットに着脱可能である。このような集積回路をＩＣソケットから抜き取るための抜取工具として、下端にそれぞれ楔部が形成された一対のレバーを有するものが知られている（例えば、特許文献１参照）。
【先行技術文献】
【特許文献】
【０００４】
【特許文献１】実開昭６１−３３４４７号公報
【発明の概要】
【発明が解決しようとする課題】
【０００５】
前記のような集積回路の抜き取りが行われることは稀であるため、ユーザー又はサービスマンが前記のような抜取工具を所持していないことがある。
【０００６】
本発明の目的は、シート支持板の固定と集積回路の抜き取りとに兼用することが可能な固定具、及びこれを備える画像形成装置を提供することである。
【課題を解決するための手段】
【０００７】
本発明の一の局面に係る固定具は、一対のアーム部と、挟持部と、爪部とを有する。前記一対のアーム部は、画像形成装置の給紙カセットに収容されるシートを昇降可能に支持するシート支持板と前記給紙カセットの底部とのそれぞれに形成された貫通孔に挿脱可能である。前記挟持部は、前記アーム部各々の予め定められた位置から突出して設けられ、前記シート支持板及び前記底部を挟持可能である。前記爪部は、前記アーム部各々の先端から内側に突出して設けられ、前記画像形成装置に搭載される集積回路と前記集積回路が着脱可能な被装着部との間に挿入可能である。
【０００８】
本発明の他の局面に係る画像形成装置は、前記給紙カセットと前記給紙カセットから供給されるシートに画像を形成する画像形成部と前記集積回路とを備える画像形成装置であって、前記給紙カセットが、前記固定具と、前記固定具が収容可能な収容部とを備える。
【発明の効果】
【０００９】
本発明によれば、シート支持板の固定と集積回路の抜き取りとに兼用することが可能な固定具、及びこれを備える画像形成装置が提供される。
【図面の簡単な説明】
【００１０】
【図１】図１は、本発明の第１の実施形態の画像形成装置の構成を示す図である。
【図２】図２は、図１に示される画像形成装置の給紙部の構成を示す図である。
【図３】図３は、図１に示される画像形成装置の給紙カセットの斜視図である。
【図４】図４は、図３とは異なる方向から見た給紙カセットの斜視図である。
【図５】図５は、図４のＸ１部分の拡大図である。
【図６】図６は、第１の実施形態の固定具をアーム部側から見た斜視図である。
【図７】図７は、第１の実施形態の固定具を操作部側から見た斜視図である。
【図８】図８は、第１の実施形態の固定具の側面図である。
【図９】図９は、第１の実施形態の固定具でリフト板を給紙カセットの底部に固定する状態にするための操作方法の説明図である。
【図１０】図１０は、第１の実施形態の固定具で集積回路をＩＣソケットから抜き取るための操作方法の説明図である。
【図１１】図１１は、第２の実施形態における固定具の側面図である。
【図１２】図１２は、第２の実施形態の固定具でリフト板を給紙カセットの底部に固定する状態にするための操作方法の説明図である。
【図１３】図１３は、第２の実施形態の固定具で集積回路をＩＣソケットから抜き取るための操作方法の説明図である。
【発明を実施するための形態】
【００１１】
［第１の実施形態］
図１を参照して、本発明の第１の実施形態について説明する。本実施形態における画像形成装置１は、プリンターである。ただし、本発明の画像形成装置は、プリンターに限らず、例えばファクシミリー装置、複写機、或いは、画像読取機能、ファクシミリー機能、及び画像形成機能を併せ持つ複合機等であってもよい。
【００１２】
画像形成装置１は、パーソナルコンピューター或いはＵＳＢメモリー等の外部装置から入力された画像データに基づいてシートＰ１に対する画像形成処理を実行する。画像形成装置１は、画像形成部２と、給紙部３とを有する。また、画像形成装置１は、集積回路Ｃ１を有する（図１０参照）。
【００１３】
画像形成部２は、感光体ドラム４、帯電部５、現像部６、トナーコンテナ７、転写ローラー８、除電部９、光走査装置１０、定着ローラー１１、及び加圧ローラー１２を備え、給紙部３の給紙カセット１３から供給されるシートに対し電子写真方式で画像を形成する。
【００１４】
図２に示されるように、給紙部３は、給紙カセット１３、捌きローラー１９、及び搬送ローラー２０、ピックアップローラー２１、搬送ローラー２２、搬送ローラー２３、及び制限部材２４を備える。
【００１５】
給紙カセット１３は、画像形成装置１の筐体に対して着脱可能である。図３に示されるように、給紙カセット１３は、画像形成装置１の外装の一部を構成する外装部６１と、外装部６１の外面側に設けられた取っ手６２と、外装部６１の内側（筐体内部側）に設けられたシート収容部６３と、固定具１００とを有する。シート収容部６３は、底部３５及び側壁３６等によってシートが収容されるスペースＳ１を形成する。また、図２に示されるように、給紙カセット１３は、カーソル１６、１７及びリフト機構１８を有する。カーソル１６は、給紙カセット１３に載置されたシートの給紙方向における後端位置を定める。カーソル１７は、給紙カセット１３に載置されたシートの給紙方向に直交する方向の用紙位置を定める。
【００１６】
リフト機構１８は、リフト板１５と、支持部２５と、押し上げ部材２６と、駆動シャフト２７とを有する。リフト板１５は、給紙カセット１３の底部３５に設けられており、リフト板１５には、各種サイズのシートが載置される。リフト機構１８は、給紙カセット１３のリフト板１５に載置されたシートを給送可能な給送位置へ位置付けるために、リフト板１５をピックアップローラー２１に対して昇降させる。リフト板１５は、本発明におけるシート支持板の一例である。
【００１７】
リフト板１５には、後述する一対の貫通孔部２８Ａ、２８Ｂ（図９参照）が形成されている。支持部２５は、リフト板１５の給紙方向の後端においてリフト板１５を回動可能に軸支する。押し上げ部材２６は、リフト板１５の先端をピックアップローラー２１に対して昇降させる。駆動シャフト２７は、押し上げ部材２６を回動可能に軸支する。なお、本実施形態においては、リフト機構１８が、リフト板１５の給紙方向における先端部をピックアップローラー２１に対して昇降させることによって最上位置のシートＰ１の給紙方向における先端部をピックアップローラー２１に対して昇降させるが、シート全体を上下に平行移動（昇降）させる実施形態も他の実施形態として考えられる。
【００１８】
ピックアップローラー２１は、給紙カセット１３における最上位置のシートＰ１に当接し、このシートＰ１から順にシートＰ１を一枚ずつ画像形成部２に給紙する。ピックアップローラー２１によって送出されるシートＰ１は、搬送ローラー２２及び捌きローラー１９によって一枚ずつ搬送ローラー２３及び搬送ローラー２０に搬送される。
【００１９】
集積回路Ｃ１は、ＣＰＵ、ＲＯＭ、及びＲＡＭなどを有するマイクロコンピューターであり、画像形成装置１を統括的に制御する電子回路である。集積回路Ｃ１は、制御基板ＳＢ１に取り付けられたＩＣソケットＳＫ１に着脱可能である（図１０参照）。前記ＲＯＭには、前記ＣＰＵに各種処理を実行させるための処理プログラムの他、画像形成装置１の製造時に調整された各種の調整データ、画像形成装置１における印刷枚数、感光体ドラム４の駆動時間、或いは画像形成装置１の識別情報などが記憶されている。
【００２０】
ところで、画像形成装置１に搭載される集積回路Ｃ１がＩＣソケットＳＫ１から抜き取られることは稀であるため、ユーザー又はサービスマンが集積回路Ｃ１を抜き取るための抜取工具を所持していないことがある。これに対し、本実施形態に係る画像形成装置１では、以下のように、固定具１００がリフト板１５の固定と集積回路Ｃ１の抜き取りとに兼用可能である。
【００２１】
図３、図４及び図５に示されるように、給紙カセット１３は、リフト板保持部３０と、固定具収容部３１とを有する。
【００２２】
リフト板保持部３０は、給紙カセット１３の底部３５にリフト板１５を固定（保持）する際に固定具１００が装着される部位である。具体的に、リフト板保持部３０は、固定具１００のアーム部１０４Ａ，１０４Ｂが貫通可能な一対の貫通孔部３３Ａ、３３Ｂ（図５参照）を有する。一対の貫通孔部３３Ａ、３３Ｂは、給紙カセット１３の底部３５に設けられている。本実施形態では、一対の貫通孔部３３Ａ、３３Ｂは固定具収容部３１の近傍に設けられている。
【００２３】
リフト板１５に形成された一対の貫通孔部２８Ａ、２８Ｂ（図９参照）は、給紙カセット１３の底部３５に設けられた一対の貫通孔部３３Ａ、３３Ｂに対応する位置に形成されている。すなわち、一対の貫通孔部２８Ａ、２８Ｂは、リフト板１５が給紙カセット１３の底部３５に重なり合ったときに一対の貫通孔部３３Ａ、３３Ｂと一致する位置に形成されている。
【００２４】
図６、図７及び図８に示されるように、固定具１００は、操作部１０２と、プレート部１０３と、一対のアーム部１０４Ａ，１０４Ｂとを有する。固定具１００は、本実施形態では合成樹脂で構成されているが、金属で構成されている実施形態も他の実施形態として考えられる。
【００２５】
プレート部１０３は、平板状の部位であり、図６及び図７に示されるように、一対の切り欠き部１１０Ａ、１１０Ｂを有する。切り欠き部１１０Ａ、１１０Ｂについては後述する。
【００２６】
一対のアーム部１０４Ａ，１０４Ｂは、プレート部１０３の両側の面のうち一方の第１面１０３Ａに設けられている。具体的に、一対のアーム部１０４Ａ，１０４Ｂは、互いに所定の距離を隔てて第１面１０３Ａから垂直に延びている。つまり、一対のアーム部１０４Ａ，１０４Ｂは、プレート部１０３により互いに連結されている。換言すると、プレート部１０３は、一対のアーム部１０４Ａ，１０４Ｂを連結する連結部としての機能を有する。一対のアーム部１０４Ａ，１０４Ｂは、貫通孔部３２Ａ、３２Ｂ及び貫通孔部２８Ａ、２８Ｂに対して挿脱可能である。
【００２７】
一対のアーム部１０４Ａ，１０４Ｂは、爪部１０５及び突出部１０６を有する。爪部１０５は、アーム部１０４Ａ，１０４Ｂ各々の先端から内側に向けて突出する。爪部１０５は、テーパ面１１５Ａ、１１５Ｂによって先細り形状に形成されており、少なくともその先端部が、画像形成装置１に搭載される集積回路Ｃ１とＩＣソケットＳＫ１との間の間隙ＳＰ１に挿入可能な厚みに形成されている（図１０参照）。なお、本実施形態では、テーパ面１１５Ａ、１１５Ｂは、アーム部１０４Ａ，１０４Ｂの先端側及びプレート部１０３側のうち前記先端側に形成されているが、プレート部１０３側に形成されていてもよいし、或いは、両方に形成されていてもよい。ＩＣソケットＳＫ１は、本発明の被装着部の一例である。
【００２８】
突出部１０６Ａ、１０６Ｂは、アーム部１０４Ａ，１０４Ｂの内側の面において、爪部１０５Ａ、１０５Ｂからアーム部１０４Ａ，１０４Ｂの長手方向に所定距離だけ隔てた位置に設けられており、アーム部１０４Ａ，１０４Ｂから内側に突出する。突出部１０６Ａ、１０６Ｂと爪部１０５Ａ、１０５Ｂとの離間距離は、リフト板１５の厚みと給紙カセット１３の底部３５の厚みとの和よりも若干長い。
【００２９】
操作部１０２は、プレート部１０３の両側面のうち他方の第２面１０３Ｂに設けられている。操作部１０２は、一対の操作片１０７Ａ、１０７Ｂを有し、一対の操作片１０７Ａ、１０７Ｂは、互いに所定の距離を隔てて第２面１０３Ｂから垂直に延びている。つまり、一対の操作片１０７Ａ、１０７Ｂは、プレート部１０３により互いに連結されている。また、一方の操作片１０７Ａは、プレート部１０３に対して一方のアーム部１０４Ａと反対側に設けられており、他方の操作片１０７Ｂは、プレート部１０３に対して他方のアーム部１０４Ｂと反対側に設けられている。
【００３０】
ここで、プレート部１０３に形成された一対の切り欠き部１１０Ａ、１１０Ｂについて説明する。一対の切り欠き部１１０Ａ、１１０Ｂは、一方のアーム部１０４Ａと他方のアーム部１０４Ｂとの間の位置に設けられている。一対の切り欠き部１１０Ａ、１１０Ｂは、一対のアーム部１０４Ａ，１０４Ｂの並び方向に直交する直線に沿う方向に長い形状を有する。プレート部１０３は、このような一対の切り欠き部１１０Ａ、１１０Ｂを有することにより弾性変形可能である。具体的に、プレート部１０３は、一対のアーム部１０４Ａ，１０４Ｂの先端が互いに外力が加わっていない自然状態よりも離間するように弾性的に湾曲可能である（図１０参照）。プレート部１０３は、本発明における弾性部の一例である。
【００３１】
このような構成を有する固定具１００は、図９に示されるように、一対の操作片１０７Ａ、１０７Ｂを互いに接近させるように一対の操作片１０７Ａ、１０７Ｂに対して操作力Ｆ１を加える摘み操作が行われた場合に、プレート部１０３が前記のように弾性的に湾曲し、一対のアーム部１０４Ａ，１０４Ｂの先端が互いに離間する。すなわち、一対のアーム部１０４Ａ，１０４Ｂがより開放した状態となる。そして、一対のアーム部１０４Ａ，１０４Ｂの先端間の離間距離が、給紙カセット１３の底部３５及びリフト板１５にそれぞれ形成された一方の貫通孔部２８Ａ、３３Ａと他方の貫通孔部２８Ｂ、３３Ｂとの離間距離に対応した距離になると、一対のアーム部１０４Ａ，１０４Ｂは、貫通孔部２８Ａ、２８Ｂ、３３Ａ、３３Ｂに貫通可能となる。
【００３２】
一対のアーム部１０４Ａ，１０４Ｂが貫通孔部２８Ａ、２８Ｂ、３３Ａ、３３Ｂに貫通され、突出部１０６Ａ、１０６Ｂがリフト板１５に当接する状態で操作部１０２への操作力Ｆ１の付与が解除されると、リフト板１５及び給紙カセット１３の底部３５が爪部１０５と突出部１０６とにより挟持された状態となる。これにより、リフト板１５が法線方向において給紙カセット１３の底部３５に対して固定（保持）される。その結果、画像形成装置１の移送中にリフト板１５に振動が伝わってもリフト板１５が給紙カセット１３の底部３５から跳ね上がることを防止することができる。爪部１０５及び突出部１０６は、本発明の挟持部の一例である。なお、爪部１０５は、前記挟持部の一部を兼ねるが、前記挟持部とは別に設けられていてもよい。
【００３３】
なお、前記のようにリフト板１５が固定（保持）された状態において、固定具１００は自然状態と同じ状態（形状）であってもよいが、アーム部１０４Ａ，１０４Ｂの先端が自然状態よりも互いに離間する（開放した状態となる）態様でプレート部１０３が湾曲して弾性変形した状態であってもよい。すなわち、一対のアーム部１０４Ａ，１０４Ｂが、貫通孔２８Ａ、２８Ｂ、３３Ａ、３３Ｂに挿入可能な状態から一対のアーム部１０４Ａ，１０４Ｂが近接する方向に復帰する弾性を有するプレート部１０３を介して連結されていてもよい。この場合、アーム部１０４Ａ，１０４Ｂの先端側が互いに接近しようとする復元力により、リフト板１５及び給紙カセット１３の底部３５のうち、一方の貫通孔部２８Ａ、３３Ａと他方の貫通孔部２８Ｂ、３３Ｂとの間の部位がアーム部１０４Ａ，１０４Ｂにより挟み込まれる。そのため、この場合には、リフト板１５が給紙カセット１３の底部３５に対し、リフト板１５の表面と平行な方向にも固定（保持）される。
【００３４】
固定具収容部３１には、固定具１００が収容可能なスペースＳ２が形成されている。具体的に、固定具収容部３１は、給紙カセット１３の前面側の端部に設けられた外装部６１の内壁に設けられている。これにより、固定具１００を固定具収容部３１から取り出す際、又は固定具１００の使用後に固定具収容部３１に収容する際のユーザーによる給紙カセット１３の引き出し量が少なくてよい。
【００３５】
また、固定具収容部３１の底部には、一対の貫通孔部３２Ａ、３２Ｂ（図５参照）が形成されている。一対の貫通孔部３２Ａ、３２Ｂには、固定具１００のアーム部１０４Ａ，１０４Ｂが貫通可能である。これにより、固定具１００は、そのアーム部１０４Ａ，１０４Ｂが一対の貫通孔部３２Ａ、３２Ｂに貫通した状態で固定具収容部３１に収容される。このような収容形態により、固定具１００の移動が貫通孔部３２Ａ、３２Ｂによって規制されるため、固定具１００が給紙カセット１３の挿抜に伴う固定具収容部３１の内部での転がりが防止される。
【００３６】
そして、本実施形態に係る画像形成装置１では、リフト板１５を固定するために用いられる固定具１００が、画像形成装置１の制御基板ＳＢ１に設けられたＩＣソケットＳＫ１から集積回路Ｃ１を抜き取るための抜取工具として兼用可能である。
【００３７】
すなわち、図１０に示されるように、リフト板１５の固定時と同様、操作部１０２に対して操作力Ｆ１が付与されることにより、プレート部１０３が湾曲し、一対のアーム部１０４Ａ，１０４Ｂの各先端が互いに離間する。そして、爪部１０５が集積回路Ｃ１と集積回路Ｃ１のＩＣソケットＳＫ１との間の間隙ＳＰ１に位置する状態で、操作力Ｆ１の付与が解除されると、爪部１０５が間隙ＳＰ１に進入する。
【００３８】
ここで、爪部１０５Ａ、１０５Ｂが先細り形状であるため、プレート部１０３の復元に伴って生じる復元力によって間隙ＳＰ１へ爪部１０５が進入することに伴い、爪部１０５は、集積回路Ｃ１をＩＣソケットＳＫ１から予め定められた距離だけ離間させる。したがって、集積回路Ｃ１の接続ピンＰＮ１がＩＣソケットＳＫ１に比較的強く差し込まれている場合であっても、接続ピンＰＮ１がＩＣソケットＳＫ１に比較的強く差し込まれた状態が緩和される。そして、固定具１００がＩＣソケットＳＫ１から離間する方向Ｄ１に引き上げられることで、集積回路Ｃ１がＩＣソケットＳＫ１から抜ける。
【００３９】
以上のように、リフト板１５を給紙カセット１３の底部３５に固定可能な固定具１００が、ＩＣソケットＳＫ１から集積回路Ｃ１を抜き取るための抜取工具として兼用可能である。また、画像形成装置１では、給紙カセット１３に固定具１００が収容可能な固定具収容部３１が設けられているため、固定具１００を画像形成装置１に常備することが可能となり、集積回路Ｃ１の抜き取り作業が必要となったときに速やかにその抜き取り作業の実施が可能となる。
【００４０】
［第２の実施形態］
本実施形態においては、図１１〜図１３を用いて、第１の実施形態の固定具１００とは構成が異なる固定具２００について説明する。なお、本実施形態では、前記第１の実施形態との相違点についてのみ説明し、前記第１の実施形態との共通点については説明を省略する。
【００４１】
図１１に示されるように、第２の実施形態の固定具２００は、湾曲部２０１及び一対のアーム部２０２Ａ、２０２Ｂを有する。また、図１２に示されるように、本実施形態において、リフト板１５及びリフト板保持部３０には、１つの貫通孔部４１、４２が設けられている。
【００４２】
湾曲部２０１は、Ｕ字状に湾曲した弾性を有する部位である。湾曲部２０１は、本発明における弾性部の一例である。一対のアーム部２０２Ａ、２０２Ｂ各々は、前記自然状態では、先端側ほど互いの離間距離が大きくなる態様で湾曲部２０１の端部から延びている。換言すると、湾曲部２０１は、一対のアーム部２０２Ａ、２０２Ｂを開放状態で連結する連結部としての機能を有する。
【００４３】
一対のアーム部２０２Ａ、２０２Ｂには、爪部２０３Ａ、２０３Ｂ、第１突出部２０４Ａ、２０４Ｂ及び第２突出部２０５Ａ、２０５Ｂが設けられている。爪部２０３Ａ、２０３Ｂは、アーム部２０２Ａ、２０２Ｂ各々の先端から内側に向けて突出する。爪部２０３Ａ、２０３Ｂは、先細り形状を有し、少なくともその先端部が集積回路Ｃ１とＩＣソケットＳＫ１との間の間隙ＳＰ１に挿入可能な厚みに形成されている。
【００４４】
第１突出部２０４Ａ、２０４Ｂは、アーム部２０２Ａ、２０２Ｂ各々の先端から外側に向けて突出する。第２突出部２０５Ａ、２０５Ｂは、アーム部２０２Ａ、２０２Ｂの外側の面において、第１突出部２０４Ａ、２０４Ｂからアーム部２０２Ａ、２０２Ｂの長手方向に所定距離だけ隔てた位置に設けられており、アーム部２０２Ａ、２０２Ｂの外面から突出する。第１突出部２０４Ａ、２０４Ｂと第２突出部２０５Ａ、２０５Ｂとの離間距離は、リフト板１５の厚みと給紙カセット１３の底部３５の厚みとの和よりも若干長い。
【００４５】
このような構成を有する固定具２００は、図１２に示されるように、一対のアーム部２０２Ａ、２０２Ｂに対して摘み操作が行われると、湾曲部２０１が弾性変形し、一対のアーム部２０２Ａ、２０２Ｂの先端が互いに接近する。すなわち、一対のアーム部２０２Ａ、２０２Ｂがより閉塞した状態となる。一対のアーム部２０２Ａ、２０２Ｂの先端間の離間距離が、給紙カセット１３の底部３５及びリフト板１５にそれぞれ形成された貫通孔部４１、４２の幅に対応した距離となると、その貫通孔部４１、４２に貫通可能となる。
【００４６】
そして、一対のアーム部２０２Ａ、２０２Ｂが貫通孔部４１、４２に貫通され、突出部２０５Ａ、２０５Ｂがリフト板１５に当接する状態で一対のアーム部２０２Ａ、２０２Ｂへの操作力Ｆ１の付与が解除されると、リフト板１５及び給紙カセット１３の底部３５が第１突出部２０４Ａ、２０４Ｂと第２突出部２０５Ａ、２０５Ｂとにより挟持された状態となる。これにより、リフト板１５が法線方向において給紙カセット１３の底部３５に対して固定（保持）される。その結果、画像形成装置１の移送中にリフト板１５に振動が伝わってもリフト板１５が給紙カセット１３の底部３５から跳ね上がることを防止することができる。第１突出部２０４Ａ、２０４Ｂ及び第２突出部２０５Ａ、２０５Ｂは、本発明の挟持部の一例である。
【００４７】
なお、リフト板１５が固定（保持）されている状態において、固定具２００は自然状態と同じ状態（形状）であってもよいが、アーム部２０２Ａ、２０２Ｂの先端が自然状態よりも接近する態様で湾曲部２０１が湾曲して弾性変形した状態であってもよい。すなわち、一対のアーム部２０２Ａ、２０２Ｂが、前記貫通孔に挿入可能な状態から前記一対のアーム部が離間する方向に復帰する弾性を有する弾性部（湾曲部２０１）を介して連結されており、アーム部２０２Ａ、２０２Ｂの先端側が互いに離間しようとする復元力により、貫通孔部４１、４２のうちアーム部２０２Ａと当接する一方の縁部１５Ａ．３５Ａとアーム部２０２Ｂと当接する他方の縁部１５Ｂ．３５Ｂとがアーム部２０２Ａ、２０２Ｂによりそれぞれ外方に押圧される。そのため、この場合には、リフト板１５が給紙カセット１３の底部３５に対し、リフト板１５の表面と平行な方向にも固定（保持）される。
【００４８】
そして、固定具２００は、第１の実施形態における固定具１００と同様、ＩＣソケットＳＫ１から集積回路Ｃ１を抜き取るための抜取工具としての機能も有している。
【００４９】
すなわち、図１３に示されるように、爪部２０３Ａ、２０３Ｂが集積回路Ｃ１とＩＣソケットＳＫ１との間の間隙ＳＰ１に位置する状態で、リフト板１５の固定時と同様、操作力Ｆ１が付与されることにより、湾曲部２０１が湾曲し、一対のアーム部２０２Ａ、２０２Ｂの各先端が互いに接近して爪部２０３Ａ、２０３Ｂが間隙ＳＰ１に進入する。
【００５０】
ここで、爪部２０３Ａ、２０３Ｂは先細り形状であるため、爪部２０３Ａ、２０３Ｂは、操作力Ｆ１による間隙ＳＰ１への爪部２０３Ａ、２０３Ｂの進入に伴い、集積回路Ｃ１をＩＣソケットＳＫ１から予め定められた距離だけ離間させる。したがって、集積回路Ｃ１の接続ピンＰＮ１がＩＣソケットＳＫ１に比較的強く差し込まれている場合であっても、接続ピンＰＮ１がＩＣソケットＳＫ１に比較的強く差し込まれた状態が緩和される。そして、固定具２００がＩＣソケットＳＫ１から離間する方向Ｄ２に引き上げられることで、集積回路Ｃ１がＩＣソケットＳＫ１から抜ける。
【００５１】
以上のように、リフト板１５を給紙カセット１３の底部３５に固定可能な固定具２００が、ＩＣソケットＳＫ１から集積回路Ｃ１を抜き取るための抜取工具として兼用可能である。また、画像形成装置１では、給紙カセット１３に固定具２００が収容可能な固定具収容部３１が設けられているため、固定具２００を画像形成装置１に常備することが可能となり、集積回路Ｃ１の抜き取り作業が必要となったときに速やかにその抜き取り作業が可能となる。
【符号の説明】
【００５２】
１：画像形成装置
２：画像形成部
１３：給紙カセット
１５：リフト板（シート支持板）
２８Ａ、２８Ｂ、３３Ａ、３３Ｂ：貫通孔
３１：固定具収容部（収容部）
３５：底部
１０４Ａ，１０４Ｂ、２０２Ａ、２０２Ｂ：アーム部
１０５Ａ、１０５Ｂ、２０３Ａ、２０３Ｂ：爪部
１０６：突出部
２０４Ａ、２０４Ｂ：第１突出部
２０５Ａ、２０５Ｂ：第２突出部
Ｃ１：集積回路
ＳＫ１：ＩＣソケット（被装着部）
【図１】
2017181778.tif 000003
【図２】
2017181778.tif 000004
【図３】
2017181778.tif 000005
【図４】
2017181778.tif 000006
【図５】
2017181778.tif 000007
【図６】
2017181778.tif 000008
【図７】
2017181778.tif 000009
【図８】
2017181778.tif 000010
【図９】
2017181778.tif 000011
【図１０】
2017181778.tif 000012
【図１１】
2017181778.tif 000013
【図１２】
2017181778.tif 000014
【図１３】
2017181778.tif 000015